(57)【要約】【課題】物品を包装したシュリンクフィルムに生じる突起部を小さくする。【解決手段】シュリンクフィルムで物品を包装する包装装置と、包装装置によって物品が包装される際に該シュリンクフィルムに生じる突起部２５を押圧して該突起部２５を小さくする押圧機構３００とを備える。【選択図】図２
2006143232.tif 000002
【特許請求の範囲】
【請求項１】
物品を処理する処理装置であって、
シュリンクフィルムで物品を包装する包装装置によって物品が包装される際に該シュリンクフィルムに生じる突起部を押圧して該突起部を小さくする押圧機構を備えることを特徴とする処理装置。
【請求項２】
前記押圧機構は、前記突起部を押圧するローラーを含むことを特徴とする請求項１に記載の処理装置。
【請求項３】
前記押圧機構は、前記包装装置から排出される包装された物品を搬送する搬送路の両側に対向配置された１又は複数対のローラーを含むことを特徴とする請求項１に記載の処理装置。
【請求項４】
前記突起部を加熱するヒーターを更に備えることを特徴とする請求項１乃至請求項３のいずれか１項に記載の処理装置。
【請求項５】
前記ヒーターは、前記ローラーを加熱することにより前記突起部を加熱するように構成されていることを特徴とする請求項４に記載の処理装置。
【請求項６】
前記押圧機構は、前記包装装置の外部であって前記包装装置の出口付近に配置されていることを特徴とする請求項１乃至請求項５のいずれか1項に記載の処理装置。
【請求項７】
物品を処理する処理装置であって、
シュリンクフィルムで物品を包装する包装装置と、
前記包装装置によって物品が包装される際に該シュリンクフィルムに生じる突起部を押圧して該突起部を小さくする押圧機構と、
を備えることを特徴とする処理装置。
【請求項８】
物品をシュリンクフィルムで包装した製品を製造する製造方法であって、
包装装置によって物品をシュリンクフィルムで包装する工程と、
前記包装装置によって物品が包装される際に該シュリンクフィルムに生じる突起部を押圧することにより該突起部を小さくする押圧工程と、
を含むことを特徴とする製造方法。
【発明の詳細な説明】
【技術分野】
【０００１】
本発明は、シュリンクフィルムで物品を包装する分野に関する。
【背景技術】
【０００２】
焼酎等の飲料が充填された紙パック等の物品は、シュリンクフィルム（熱収縮フィルム）で包装されることがある。シュリンクフィルムは、例えば、ポリプロピレンで構成され、熱によって収縮する性質を有する。シュリンクフィルムを物品に被せた後に加熱することによりシュリンクフィルムが収縮する。
【特許文献１】特開２００１−３２２６３４号公報
【発明の開示】
【発明が解決しようとする課題】
【０００３】
図１は、物品をシュリンクフィルムで包装した製品の一例を示す図である。物品１０は、例えば、飲料が充填された紙パックであり、典型的には、４面からなる胴部３０と、底部６０と、２つの三角天面５０と、トップシール４０と、注ぎ口及びそれに付されたキャップ７０等を含む。シュリンクフィルム２０は、物品の包装前は、典型的には平面形状を有するので、これによって立体物である物品１０を包装しようとすると、少なからずシュリンクフィルム２０に突起部２５が生じうる。一般的なシュリンクフィルム用の包装装置で図１に示すような形状を有する物品１０を包装すると、トップシール４０の両側（２箇所）と、底部６０と胴部３０との境目付近の２箇所とに突起部２５が生じうる。突起部２５は、”角（つの）”と呼ばれることがある。また、突起部２５が形成されることは、”角出し”と呼ばれることがある。
【０００４】
角出しは、一般的なシュリンクフィルム用の包装装置では避けられない問題点である。紙パック等の物品１０をシュリンクフィルムで包装した製品１００を持つ場合には、消費者は、トップシール４０の両端の部分を指で挟むことが多いと考えられる。したがって、トップシープ４０の両側に突起部２５があると、消費者が製品１００を持った時に指に痛みを感じるであろう。また、突起部２５が衣服等に引っ掛かると、衣服等が傷むこともある。
【０００５】
本発明は、上記の問題点の認識を基礎としてなされたものであり、物品を包装したシュリンクフィルムに生じる突起部を小さくすることを目的とする。
【課題を解決するための手段】
【０００６】
本発明の第１の側面は、物品を処理する処理装置に係り、前記処理装置は、シュリンクフィルムで物品を包装する包装装置によって物品が包装される際に該シュリンクフィルムに生じる突起部を押圧して該突起部を小さくする押圧機構を備えることを特徴とする。
【０００７】
本発明の好適な実施形態によれば、前記押圧機構は、前記突起部を押圧するローラーを含むことが好ましい。更に、前記押圧機構は、前記包装装置から排出される包装された物品を搬送する搬送路の両側に対向配置された１又は複数対のローラーを含むことが好ましい。
【０００８】
本発明の好適な実施形態によれば、前記処理装置は、前記突起部を加熱するヒーターを更に備えることが好ましい。前記ヒーターは、例えば、前記ローラーを加熱することにより前記突起部を加熱するように構成されうる。
【０００９】
本発明の好適な実施形態によれば、前記押圧機構は、前記包装装置の外部であって前記包装装置の出口付近に配置されることが好ましい。
【００１０】
本発明の第２の側面は、物品を処理する処理装置に係り、前記処理装置は、シュリンクフィルムで物品を包装する包装装置と、前記包装装置によって物品が包装される際に該シュリンクフィルムに生じる突起部を押圧して該突起部を小さくする押圧機構とを備えることを特徴とする。
【００１１】
本発明の第３の側面は、物品をシュリンクフィルムで包装した製品を製造する製造方法に係り、前記製造方法は、包装装置によって物品をシュリンクフィルムで包装する工程と、前記包装装置によって物品が包装される際に該シュリンクフィルムに生じる突起部を押圧することにより該突起部を小さくする押圧工程とを含むことを特徴とする。
【発明の効果】
【００１２】
本発明によれば、物品を包装したシュリンクフィルムに生じる突起部を小さくすることができる。
【発明を実施するための最良の形態】
【００１３】
以下、添付図面を参照しながら本発明の好適な実施形態を説明する。
【００１４】
図２は、本発明の好適な実施形態の処理装置の概略構成を示す図である。図２に示す処理装置１０００は、シュリンクフィルムで物品を包装する包装装置２００と、包装装置２００で物品を包装して得られた製品１００を搬送する搬送路（コンベア）４００と、包装装置２００によって物品が包装された際にその物品を包装しているシュリンクフィルムに生じる突起部２５を押圧して突起部２５を小さくする押圧機構３００とを備える。
【００１５】
図３は、包装装置２００における包装の原理を示す図である。まず、（ａ）に示すように、飲料等が充填された紙パック等の物品１０にシュリンクフィルム２０が上方から被せられる。次いで、（ｂ）に示すように、物品１０の胴部が完全に包まれるようにシュリンクフィルム２０が袋状にされるとともにトップシール側及び底部側が熱線ヒーター等によって切断される。次いで、（ｃ）に示すように、ヒートトンネルにおいて、例えば１５０℃程度に加熱することによってシュリンクフィルム２０を収縮させて、物品１０をシュリンクフィルム２０で包装した製品１００が得られる。ただし、この状態では、図１に示すように、典型的には、トップシール４０の両側（２箇所）と、底部６０と胴部３０との境目付近の２箇所とに突起部（角）２５が存在しうる。
【００１６】
これらの突起部２５は、押圧機構３００によって小さくされる。押圧機構３００は、包装装置２００のヒートトンネル内に配置されてもよいが、ヒートトンネル内は、シュリンクフィルムを収縮させるために、例えば１５０℃程度に維持されるため、このような熱に耐えるように押圧機構３００を設計する必要がある。
【００１７】
そこで、押圧機構３００は、包装装置２００の外側（或いは、ヒートトンネルの外側）であって、包装装置２００の出口付近（例えば、出口から５０ｃｍ以内の位置）に配置することが好ましい。ここで、押圧機構３００を包装装置２００の出口から遠く離れた位置（例えば、出口から５０ｃｍ以上離れた位置）に配置すると、製品１００が押圧機構３００に到達する前に、包装装置２００のヒートトンネル内で加熱されたシュリンクフィルムの温度が低下してしまうので、シュリンクフィルムを再び１５０℃程度まで加熱する必要があり、効率的とは言えない。
【００１８】
図４は、押圧機構の構成例を示す図である。押圧機構３００は、例えば、シュリンクフィルム２０の突起部２５を押圧して、それを小さくするローラー３１０を含む。好ましくは、押圧機構３００は、包装装置２００から排出される製品（包装された物品）１００を搬送する搬送路４００の両側に対向配置された１又は複数対のローラー３１０を含む。ローラー３１０は、アーム３５０に設けられた軸３３０によって回動可能に支持されうる。アーム３５０は、軸３４０によって回動可能に支持され、その一端がバネ３６０によって押されてローラー３１０を製品１００の突出部２５に押し付ける。
押圧機構３００が包装装置２００の外部に配置される場合には、突起部２５を加熱するためのヒーター３２０を備えることが好ましい。ヒーター３２０は、例えば、ローラー３１０を加熱することにより突起部２５が加熱されるように配置されることが好ましい。ヒーター３２０は、例えば、ローラー３１０の内側に配置されうる。
【００１９】
押圧機構３００によってシュリンクフィルムに生じる突起部２５を押圧することによって、例えば、図５に例示的に示すように、突起部２５が小さくなる。これにより、消費者が製品１００を掴んだ際に指に痛みを感じることがなくなる。また、突起部に引っ掛かるることによる衣服等が傷むことが防止される。
【図面の簡単な説明】
【００２０】
【図１】物品をシュリンクフィルムで包装した製品の一例を示す図である。
【図２】本発明の好適な実施形態の処理装置の概略構成を示す図である。
【図３】包装装置における包装の原理を示す図である。
【図４】押圧機構の構成例を示す図である。
【図５】シュリンクフィルムの突起部が小さくされた製品の一例を示す図である。
【符号の説明】
【００２１】
１０  物品（例えば、紙パック）
２０  シュリンクフィルム
２５  突起部（角）
３０  胴部
４０  トップシール
５０  三角天面
６０  底部
７０  キャップ
１００  製品
２００  包装装置
３００  押圧機構
３１０  ローラー
３２０  ヒーター
３３０  軸
３４０  軸
３５０  アーム
３６０  バネ
４００  搬送路
１０００  処理装置
【図１】
2006143232.tif 000003
【図２】
2006143232.tif 000004
【図３】
2006143232.tif 000005
【図４】
2006143232.tif 000006
【図５】
2006143232.tif 000007